(57)【要約】【課題】  時間や手間をかけることなく容易に組立てることができ、キャビネット構造の強度、安全性、美観性、利便性などを向上させることができるキャビネットを提供することを目的とする。【解決手段】  本発明はキャビネットの構造を提供するもので、貼り合い部と対応した内面へ向かって折り曲げるように水平状の弧形の挿入溝を設置したバックプレートと、バックプレートにより囲まれた複数の囲み板に、それぞれ第一補強結構、第二補強結構が設置されたプレートと、対応する挿入溝に挿入される位置決め部と、プレートのエッジが相互に貼り合わされた第一折り合い部と、第一折り合い部に形成された突出バーと、突出バーと対応したプレートの内面との間に形成された嵌め合い孔と、嵌め合い孔に嵌められたＬ形の接続ユニットと、バックプレートと異なる面を開閉可能にし、サイドエッジを第一折り合い部から囲む空間に枢設されたカバーとを有する構成とされる。【選択図】  図２
2005034612.tif 000002
【特許請求の範囲】
【請求項１】
複数のエッジから垂直方向に一体化するように貼り合い部を伸ばして設けられ、上記貼り合い部と対応した内面へ向かって折り曲げるように水平状の弧形の挿入溝を設置したバックプレートと、
上記バックプレートの各エッジにより囲まれた複数の囲み板に設けられ、隣接辺が相互に枢設されると共に、上記バックプレートの方向へ向かう二つのエッジにそれぞれ第一補強結構、第二補強結構が設置されたプレートと、
上記第一補強結構に設置され、上記貼り合い部の末端から伸ばされて対応する位置の上記挿入溝に挿入される位置決め部と、
上記第一補強結構と異なる別側に上記第二補強結構が設置されたプレートのエッジから伸ばされて折り曲げられた形状で相互に貼り合わされた第一折り合い部と、
上記第一折り合い部から延ばすように形成された突出バーと、
上記突出バーと対応したプレートの内面との間に形成された嵌め合い孔と、
各隣接の上記囲み板の間に設置され、隣接する二つの上記嵌め合い孔に両端が嵌められたＬ形の接続ユニットと、
上記囲み板が囲む上記バックプレートと異なる面を開閉可能にし、サイドエッジを上記囲み板の上記第一折り合い部から囲む空間に枢設されたカバーと
を有することを特徴とするキャビネット。
【請求項２】
上記プレートの隣接辺の間に、交差状に折り曲げられた管状の第一枢設部が設けられ、
上記プレートの隣接の上記第一枢設部に第一枢設軸が貫通され、上記プレートの隣接辺を枢設して位置決めを行うことを特徴とする請求項１記載のキャビネット。
【請求項３】
上記カバーには、上記サイドエッジの内面に一枚の上記囲み板に向き合うように管状の第二枢設部が設けられ、
少なくとも一本の第二枢設軸を第二枢設部及び対応する上記第二折り合い部に貫通させることを特徴とする請求項１記載のキャビネット。
【請求項４】
二本の上記第二枢設軸は、それぞれ上記第二枢設部の両側の上記第二折り合い部の貫通孔に挿入し、
上記第二枢設軸の末端を、上記第二枢設部の両端に挿入することを特徴とする請求項３記載のキャビネット。
【請求項５】
上記カバーの上記サイドエッジには、それぞれ上記囲み板の第二折り合い部の内面へ向かって延ばすように形成され、
上記第二枢設部は片側の上記サイドエッジの内面に設けられ、上記第二枢設軸はそれぞれ第二折り合い部の内側にガスケットを設け、
上記サイドエッジを上記囲み板の上記第二折り合い部の内面に挿入し、
一つの上記サイドエッジを相対的に二つの上記ガスケットに貼り付けることを特徴とする請求項３又は４記載のキャビネット。
【請求項６】
上記囲み面には、配列して貫通させるように複数の位置決め孔が設けられ、
少なくとも一枚の間隔板の底面両側の二枚の上記囲み板は、四つの隅に向き合う上記位置決め孔を貫通して固定ボタンを設け、
向き合う上記囲み板の内面に上記固定ボタンを設置し、間隔板を載せるための止めユニットを設置することを特徴とする請求項１記載のキャビネット。
【発明の詳細な説明】
【技術分野】
【０００１】
本発明はキャビネットに係るものであり、特に、各嵌め込み穴をキャビネットの内面に形成したキャビネットに関するものである。
【背景技術】
【０００２】
図７は、従来のキャビネットの一例を示す斜視図である。図８は、従来のキャビネットのカバーの接続部分を示す断面図である。図７、８に示す従来のキャビネットは、矩形構造であり、片側に設けられたカバー６０と、カバー６０と向き合う一方の側面に、バックプレート（図示せず）が設けられている。また、カバー６０とバックプレートとの間に接続するほかの全面に囲み板６１が設けられている。
【０００３】
囲み板６１と、バックプレートとの間は、固定接続される。囲み板６１のそれぞれを任意の位置に固定するために、各囲み板６１には、カバー６０へ向かう片側を外向きに折り曲げられたように折られた弧形の折り返し部６２が形成されている。また、一般のアセンブリキャビネットは鉄板で加工される。これにより、各折り返し部６２は、対応する各囲み板６１に完全に密着させることができず、隙間が生じてしまう。そのため、折り返し部６２と、各囲み板６１との間に、Ｌ形の接続ユニット６３を設置して各囲み板６１を位置決めできるように接続されている。
【発明の開示】
【発明が解決しようとする課題】
【０００４】
しかしながら、従来のキャビネットには以下に示す欠点がある。
【０００５】
（１）面倒な組立て構造
従来のキャビネットは、複数の囲み板６１、バックプレートを枢設、接続するため、組立てに手間と時間がかかり、また、折り返し部６２の形状によりカバー６０の設置が難しいという問題点があった。
【０００６】
（２）全体の結構強度の不足
従来のキャビネットは、単純に各囲み板６１の相互に枢設、接続して形成され、各囲み板６１、バックプレート、カバー６０の結合位置には補強がされていないため、キャビネット全体の結構強度が不足している。このため、キャビネットの外部から圧力や衝撃を受けると、変形、損壊し、キャビネット全体の結構強度が不足しているという問題点があった。
【０００７】
（３）安全性の不足
従来のキャビネットは、各折り返し部６２と対応した囲み板６１との表面に、隙間が形成されるので、ユーザーが使用しているうちに、頻繁に隙間の周辺の折り返し部６２に引っ掛かり、擦り傷、切り傷などの怪我をしてしまい、安全性に欠けるという問題点があった。また、折り返し部６２及び接続ユニットが外部に露出されるため、美観性に欠けるという問題点があった。
【０００８】
（４）利便性の欠如
従来のキャビネットは、各折り返し部６２と各囲み板６１とを完全に密着させることができず、隙間が生じてしまい、また、折り返し部６２が囲み板６１からはみ出しているため、キャビネットの体積が増えて場所を取ってしまい、また、キャビネットを積み重ねることが難しい。従って、安定性や、利便性に欠けるという問題点があった。
【０００９】
本発明は、時間や手間をかけることなく容易に組立てることができ、キャビネット構造の強度、安全性、美観性、利便性などを向上させることができるキャビネットを提供することを目的とする。
【課題を解決するための手段】
【００１０】
前記の目的を図るため、本発明の請求項１に記載されるように、複数のエッジから垂直方向に一体化するように貼り合い部を伸ばして設けられ、上記貼り合い部と対応した内面へ向かって折り曲げるように水平状の弧形の挿入溝を設置したバックプレートと、上記バックプレートの各エッジにより囲まれた複数の囲み板に設けられ、隣接辺が相互に枢設されると共に、上記バックプレートの方向へ向かう二つのエッジにそれぞれ第一補強結構、第二補強結構が設置されたプレートと、上記第一補強結構に設置され、上記貼り合い部の末端から伸ばされて対応する位置の上記挿入溝に挿入される位置決め部と、上記第一補強結構と異なる別側に上記第二補強結構が設置されたプレートのエッジから伸ばされて折り曲げられた形状で相互に貼り合わされた第一折り合い部と、上記第一折り合い部から延ばすように形成された突出バーと、上記突出バーと対応したプレートの内面との間に形成された嵌め合い孔と、各隣接の上記囲み板の間に設置され、隣接する二つの上記嵌め合い孔に両端が嵌められたＬ形の接続ユニットと、上記囲み板が囲む上記バックプレートと異なる面を開閉可能にし、サイドエッジを上記囲み板の上記第一折り合い部から囲む空間に枢設されたカバーとで構成とされる。
【００１１】
このようなキャビネットにおいて、貼り合い部と対応した内面へ向かって折り曲げるように水平状の弧形の挿入溝を設置したバックプレートと、バックプレートにより囲まれた複数の囲み板に、それぞれ第一補強結構、第二補強結構が設置されたプレートと、第一補強結構に設置され、貼り合い部の末端から伸ばされて対応する挿入溝に挿入される位置決め部と、第二補強結構が設置されたプレートのエッジから伸ばされて折り曲げられた形状で相互に貼り合わされた第一折り合い部と、第一折り合い部に形成された突出バーと、突出バーと対応したプレートの内面との間に形成された嵌め合い孔と、嵌め合い孔に両端が嵌められたＬ形の接続ユニットと、バックプレートと異なる面を開閉可能にし、サイドエッジを第一折り合い部から囲む空間に枢設されたカバーとを有することにより、時間や手間をかけることなく容易に組立てることができ、キャビネット構造の強度、安全性、美観性、利便性、また耐久性などを向上させることができる。
【００１２】
前記の目的を図るため、本発明の請求項２に記載されるように、上記プレートの隣接辺の間に、交差状に折り曲げられた管状の第一枢設部が設けられ、上記プレートの隣接の上記第一枢設部に第一枢設軸が貫通され、上記プレートの隣接辺を枢設して位置決めを行う構成としてもよい。
【００１３】
このようなキャビネットにおいて、プレートの隣接辺の間に、交差状に折り曲げられた管状の第一枢設部に第一枢設軸が貫通され、プレートの隣接辺を枢設して位置決めを行う
ことにより、キャビネットを時間や手間をかけることなく容易に組立てることができ、キャビネット構造の強度、安全性、美観性、利便性などを向上させることができる。
【００１４】
前記の目的を図るため、請求項３に記載されるように、上記カバーには、上記サイドエッジの内面に一枚の上記囲み板に向き合うように管状の第二枢設部が設けられ、少なくとも一本の第二枢設軸を第二枢設部及び対応する上記第二折り合い部に貫通させる構成としてもよい。
【００１５】
このようなキャビネットにおいて、カバーにはサイドエッジの内面に一枚の囲み板に向き合うように管状の第二枢設部及び対応する上記第二折り合い部に第二枢設軸を貫通させることにより、キャビネットを時間や手間をかけることなく容易に組立てることができ、キャビネット構造の強度、安全性、美観性、利便性などを向上させることができる。
【００１６】
前記の目的を図るため、本発明の請求項４に記載されるように、二本の上記第二枢設軸は、それぞれ上記第二枢設部の両側の上記第二折り合い部の貫通孔に挿入し、上記第二枢設軸の末端を、上記第二枢設部の両端に挿入する構成としてもよい。
【００１７】
このようなキャビネットにおいて、第二枢設軸は第二枢設部の両側の第二折り合い部の貫通孔に挿入し、末端を第二枢設部の両端に挿入することにより、キャビネットを時間や手間をかけることなく容易に組立てることができ、キャビネット構造の強度、安全性、美観性、利便性などを向上させることができる。
【００１８】
前記の目的を図るため、請求項５に記載されるように、上記カバーの上記サイドエッジには、それぞれ上記囲み板の第二折り合い部の内面へ向かって延ばすように形成され、上記第二枢設部は片側の上記サイドエッジの内面に設けられ、上記第二枢設軸はそれぞれ第二折り合い部の内側にガスケットを設け、上記サイドエッジを上記囲み板の上記第二折り合い部の内面に挿入し、一つの上記サイドエッジを相対的に二つの上記ガスケットに貼り付ける構成としてもよい。
【００１９】
このようなキャビネットにおいて、カバーのサイドエッジには、囲み板の第二折り合い部の内面へ向かって延ばすように形成され、第二枢設部は片側のサイドエッジの内面に設けられ、第二枢設軸は第二折り合い部の内側にガスケットを設けて第二折り合い部の内面に挿入し、サイドエッジをガスケットに貼り付けることにより、カバーをガスケットに沿って容易に開閉することができる。
【００２０】
前記の目的を図るため、請求項６に記載されるように、上記囲み面には、配列して貫通させるように複数の位置決め孔が設けられ、少なくとも一枚の間隔板の底面両側の二枚の上記囲み板は、四つの隅に向き合う上記位置決め孔を貫通して固定ボタンを設け、向き合う上記囲み板の内面に上記固定ボタンを設置し、間隔板を載せるための止めユニットを設置する構成としてもよい。
【００２１】
このようなキャビネットにおいて、囲み面に配列して貫通させる位置決め孔、囲み板は、四つの隅に向き合う位置決め孔を貫通して固定ボタンを設け、向き合う囲み板の内面に固定ボタンを設置し、間隔板を載せるための止めユニットを設置することにより、キャビネットを時間や手間をかけることなく容易に組立てることができ、キャビネット構造の強度、安全性、美観性、利便性などを向上させることができる。
【発明の効果】
【００２２】
本発明のキャビネットにおいて、貼り合い部と対応した内面へ向かって折り曲げるように水平状の弧形の挿入溝を設置したバックプレートと、バックプレートにより囲まれた複数の囲み板に、それぞれ第一補強結構、第二補強結構が設置されたプレートと、第一補強結構に設置され、貼り合い部の末端から伸ばされて対応する挿入溝に挿入される位置決め部と、第二補強結構が設置されたプレートのエッジから伸ばされて折り曲げられた形状で相互に貼り合わされた第一折り合い部と、第一折り合い部に形成された突出バーと、突出バーと対応したプレートの内面との間に形成された嵌め合い孔と、嵌め合い孔に両端が嵌められたＬ形の接続ユニットと、バックプレートと異なる面を開閉可能にし、サイドエッジを第一折り合い部から囲む空間に枢設されたカバーとを有することにより、時間や手間をかけることなく容易に組立てることができ、キャビネット構造の強度、安全性、美観性、利便性、また耐久性などを向上させることができる。
【発明を実施するための最良の形態】
【００２３】
以下に添付図面を参照して本発明の好適な実施の形態を詳細に説明する。
【００２４】
図１は、本発明の一実施例に係るキャビネットを示す斜視図である。図２は、本発明のキャビネットを示す分解斜視図である。図３は、本発明のキャビネットのバックプレートの一部分を示す斜視図である。図４は、本発明のキャビネットの囲み板の一部分を示す斜視図である。図５は、本発明の折り合い部の突出部を示す断面図である。図６は、本発明のキャビネットのカバーの接続部分を示す断面図である。
【００２５】
図１、２、３に示すように、本発明のキャビネットは、バックプレート１０、囲み板２０、カバー４０等で構成されている。図３に示すように、バックプレート１０には、複数のエッジから垂直方向に一体化するように貼り合い部１１を伸ばして設けられる。貼り合い部１１は、対応した内面へ向かって折り曲げるように、水平状の弧形の挿入溝１２が設置される。
【００２６】
囲み板２０は複数のプレート２１で構成されている。プレート２１は、バックプレート１０の各エッジにより囲まれた複数の囲み板２０に設けられている。図２に示すようにプレート２１は、４枚使用されている。プレート２１の隣接辺の間に、交差状に折り曲げられた管状の第一枢設部２２が設けられている。プレート２１の隣接の第一枢設部２２に第一枢設軸３０が貫通され、プレート２１の隣接辺を枢設して位置決めを行う。プレート２１は、バックプレート１０の方向へ向かう二つのエッジにそれぞれ第一補強結構２３、第二補強結構２４を設置する。
【００２７】
第一補強結構２３は、貼り合い部１１に貼り合う第一折り合い部２３０が形成される。
各貼り合い部１１の末端から伸ばされて対応する位置の挿入溝１２に挿入される位置決め部２３１を設置する。第二補強結構２４は、第一補強結構２３と異なる別側に設置される。各第二補強結構２４には、各プレート２１のエッジから伸ばされて折り曲げられた（とんぼ返りする）形状で相互に貼り合わされた第一折り合い部２４０から、延ばすように形成された突出バー２４１が設けられている。突出バー２４１と対応したプレート２１の内面との間に、嵌め合い孔２４２が形成される。
【００２８】
図５に示すように、第二折り合い部２４０の両端に、貫通孔２４３が設けられている。各隣接された囲み板２０の間に、Ｌ形の接続ユニット３１を配置する。接続ユニット３１の両側をそれぞれ隣接する二つの嵌め合い孔２４２に挿入する。各囲み板２０にバックプレート１０と異なる片側の位置決めを提供する。各囲み板２０の面には、配列して貫通させるように複数の位置決め孔２５が設けられている。
【００２９】
図６に示すように、カバー４０により、囲み板２０が囲むバックプレート１０と異なる面が開閉可能となる。カバー４０はそれぞれ各囲み板２０の第二折り合い部２４０の内面へ向かって延ばすように、サイドエッジ４１が設けられている。カバー４０は、サイドエッジ４１の内面に、その一枚の囲み板２０に向き合うように、管状の第二枢設部４２が設けられている。
【００３０】
図２に示すように、カバー４０の上部内面に、二本の第二枢設軸３２が設けられている。
二本の第二枢設軸３２は、それぞれ第二枢設部４２の両側の第二折り合い部２４０の貫通孔２４３に挿入される。第二枢設軸３２は、それぞれ第二折り合い部２４０の内側両端に、ガスケット３３を設ける。それで、カバー４０の各サイドエッジ４１を、それぞれ囲み板２０の第二折り合い部２４０の内面に挿入する。そのサイドエッジ４１を相対的に、二つガスケット３３に貼り付ける。カバー４０において、第二枢設部４２と異なる別端の外側にハンドル４３が取り付けられている。
【００３１】
間隔板５０は、各囲み板２０の囲む空間に設置する。間隔板５０の底面両側における二枚囲み板２０は四つの隅に向き合う位置決め孔２５を貫通して固定ボタン５１を設ける。向き合う囲み板２０の内面に固定ボタン５１を設置し、間隔板５０を載せるための止めユニット５２が設置されている。
【００３２】
このように、本発明のキャビネットは、時間や手間をかけることなく容易に組立てることができ、キャビネット構造の強度、安全性、美観性、利便性などを向上させることができる。
【００３３】
尚、本発明のキャビネットは上記の構成に限定されることなく、本発明のキャビネットを変形及び改良した構成においても適応可能である。
【図面の簡単な説明】
【００３４】
【図１】本発明の一実施例に係るキャビネットを示す斜視図である。
【図２】本発明のキャビネットを示す分解斜視図である。
【図３】本発明のキャビネットのバックプレートの一部分を示す斜視図である。
【図４】本発明のキャビネットの囲み板の一部分を示す斜視図である。
【図５】本発明の折り合い部の突出部を示す断面図である。
【図６】本発明のキャビネットのカバーの接続部分を示す断面図である。
【図７】従来のキャビネットの一例を示す斜視図である。
【図８】従来のキャビネットのカバーの接続部分を示す断面図である。
【符号の説明】
【００３５】
１０          バックプレート
１１          貼り合い部
１２          挿入溝
２０          囲み板
２１          プレート
２２          第一枢設部
２３          第一補強結構
２４          第二補強結構
２５          位置決め孔
３０          第一枢設軸
３１          接続ユニット
３２          第二枢設軸
３３          ガスケット
４０          カバー
４１          サイドエッジ
４２          第二枢設部
４３          ハンドル
５０          間隔板
５１          固定ボタン
５２          止めユニット
６０          カバー
６１          囲み板
６２          折り返し部
６３          接続ユニット
２３０        第一折り合い部
２３１        位置決め部
２４０        第一折り合い部
２４１        突出バー
２４２        嵌め合い孔
２４３        貫通孔
【図１】
2005034612.tif 000003
【図２】
2005034612.tif 000004
【図３】
2005034612.tif 000005
【図４】
2005034612.tif 000006
【図５】
2005034612.tif 000007
【図６】
2005034612.tif 000008
【図７】
2005034612.tif 000009
【図８】
2005034612.tif 000010